(57)【特許請求の範囲】
【請求項１】
通信システムにおける改善された無線リソース制御（ＲＲＣ）再確立の方法であって、
第１のセルとのＲＲＣ接続状態にあるユーザ機器（ＵＥ）による無線リンク障害（ＲＬＦ）の検出に基づいて、前記第１のセルに関連付けられるカウンタ値をインクリメントすることと、
セルアクセス規制評価持続時間内に前記カウンタ値が第１のアクセス規制しきい値以上になると決定することと、
前記セルアクセス規制評価持続時間内に、前記カウンタ値が前記第１のアクセス規制しきい値以上になるとの決定に応答して、第１のアクセス規制持続時間にわたって前記ＵＥが前記第１のセルとのＲＲＣ再確立手順を実行するのを禁止することと、
前記第１のアクセス規制持続時間の満了後に生じる、前記第１のセルに関する第１のＲＬＦおよび第２のＲＬＦを検出することと、ここにおいて、前記第１のＲＬＦは第１の時間値において検出され、前記第２のＲＬＦは第２の時間値において検出される、
前記第１の時間値と第２の時間値との間の持続時間がリセット持続時間以上になると決定することと、
前記第１の時間値と第２の時間値との間の前記持続時間が前記リセット持続時間以上になるとの決定に応答して、前記第１のセルとのＲＲＣ再確立を実行することと
を備える、通信システムにおける改善された無線リソース制御（ＲＲＣ）再確立の方法。
【請求項２】
前記第１のアクセス規制持続時間中に第２のセルとのＲＲＣ再確立手順を実行することをさらに備える、請求項１に記載の方法。
【請求項３】
前記セルアクセス規制評価持続時間内に前記カウンタ値が第２のアクセス規制しきい値以上になると決定することと、
第２のアクセス規制持続時間にわたって前記ＵＥが前記第１のセルとの前記ＲＲＣ再確立手順を実行するのを禁止することと
をさらに備える、請求項１に記載の方法。
【請求項４】
前記第２のアクセス規制持続時間中に第２のセルとのＲＲＣ再確立手順を実行することをさらに備える、請求項３に記載の方法。
【請求項５】
前記第２のアクセス規制持続時間は前記第１のアクセス規制持続時間より、持続時間が長い、請求項３に記載の方法。
【請求項６】
前記第２のアクセス規制しきい値は、前記第１のアクセス規制しきい値と等しい、請求項３に記載の方法。
【請求項７】
前記第２のアクセス規制しきい値は前記第１のアクセス規制しきい値より小さいか、または大きい、請求項３に記載の方法。
【請求項８】
前記決定することは、前記セルアクセス規制評価持続時間がセルアクセス規制評価持続時間しきい値に達すると決定することを含む、請求項１に記載の方法。
【請求項９】
前記セルアクセス規制評価持続時間は、先行するセルアクセス規制評価持続時間の少なくとも一部を含む、請求項１に記載の方法。
【請求項１０】
改善された無線リソース制御（ＲＲＣ）再確立のためのコンピュータ実行可能コードを記憶する非一時的コンピュータ可読媒体であって、
第１のセルとのＲＲＣ接続状態にあるユーザ機器（ＵＥ）による無線リンク障害（ＲＬＦ）の検出に基づいて、前記第１のセルに関連付けられるカウンタ値をインクリメントするためのコードと、
セルアクセス規制評価持続時間内に前記カウンタ値が第１のアクセス規制しきい値以上になると決定するためのコードと、
前記セルアクセス規制評価持続時間内に、前記カウンタ値が前記第１のアクセス規制しきい値以上になるとの決定に応答して、第１のアクセス規制持続時間にわたって前記ＵＥが前記第１のセルとのＲＲＣ再確立手順を実行するのを禁止するためのコードと、
前記第１のアクセス規制持続時間の満了後に生じる、前記第１のセルに関する第１のＲＬＦおよび第２のＲＬＦを検出するためのコードと、ここにおいて、前記第１のＲＬＦは第１の時間値において検出され、前記第２のＲＬＦは第２の時間値において検出される、
前記第１の時間値と第２の時間値との間の持続時間がリセット持続時間以上になると決定するためのコードと、
前記第１の時間値と第２の時間値との間の前記持続時間が前記リセット持続時間以上になるとの決定に応答して、前記第１のセルとのＲＲＣ再確立を実行するためのコードと
を備える、改善された無線リソース制御（ＲＲＣ）再確立のためのコンピュータ実行可能コードを記憶する非一時的コンピュータ可読媒体。
【請求項１１】
前記第１のアクセス規制持続時間中に第２のセルとのＲＲＣ再確立手順を実行するためのコードをさらに備える、請求項１０に記載の非一時的コンピュータ可読媒体。
【請求項１２】
前記セルアクセス規制評価持続時間内に前記カウンタ値が第２のアクセス規制しきい値以上になると決定するためのコードと、
第２のアクセス規制持続時間にわたって前記ＵＥが前記第１のセルとの前記ＲＲＣ再確立手順を実行するのを禁止するためのコードと
をさらに備える、請求項１０に記載の非一時的コンピュータ可読媒体。
【請求項１３】
前記第２のアクセス規制持続時間中に第２のセルとのＲＲＣ再確立手順を実行するためのコードをさらに備える、請求項１２に記載の非一時的コンピュータ可読媒体。
【請求項１４】
通信システムにおける改善された無線リソース制御（ＲＲＣ）再確立のための装置であって、
第１のセルとのＲＲＣ接続状態にあるユーザ機器（ＵＥ）による無線リンク障害（ＲＬＦ）の検出に基づいて、前記第１のセルに関連付けられるカウンタ値をインクリメントするための手段と、
セルアクセス規制評価持続時間内に前記カウンタ値が第１のアクセス規制しきい値以上になると決定するための手段と、
前記セルアクセス規制評価持続時間内に、前記カウンタ値が前記第１のアクセス規制しきい値以上になるとの決定に応答して、第１のアクセス規制持続時間にわたって前記ＵＥが前記第１のセルとのＲＲＣ再確立手順を実行するのを禁止するための手段と、
前記第１のアクセス規制持続時間の満了後に生じる、前記第１のセルに関する第１のＲＬＦおよび第２のＲＬＦを検出するための手段と、ここにおいて、前記第１のＲＬＦは第１の時間値において検出され、前記第２のＲＬＦは第２の時間値において検出される、
前記第１の時間値と第２の時間値との間の持続時間がリセット持続時間以上になると決定するための手段と、
前記第１の時間値と第２の時間値との間の前記持続時間が前記リセット持続時間以上になるとの決定に応答して、前記第１のセルとのＲＲＣ再確立を実行するための手段と
を備える、通信システムにおける改善された無線リソース制御（ＲＲＣ）再確立のための装置。
【請求項１５】
前記第１のアクセス規制持続時間中に第２のセルとのＲＲＣ再確立手順を実行するための手段をさらに備える、請求項１４に記載の装置。
【請求項１６】
前記セルアクセス規制評価持続時間内に前記カウンタ値が第２のアクセス規制しきい値以上になると決定するための手段と、
第２のアクセス規制持続時間にわたって前記ＵＥが前記第１のセルとの前記ＲＲＣ再確立手順を実行するのを禁止するための手段と
をさらに備える、請求項１４に記載の装置。
【請求項１７】
前記第２のアクセス規制持続時間中に第２のセルとのＲＲＣ再確立手順を実行するための手段をさらに備える、請求項１６に記載の装置。
【請求項１８】
通信システムにおける改善された無線リソース制御（ＲＲＣ）再確立のための装置であって、
第１のセルとのＲＲＣ接続状態にあるユーザ機器（ＵＥ）による無線リンク障害（ＲＬＦ）の検出に基づいて、前記第１のセルに関連付けられるカウンタ値をインクリメントするように構成される再選択構成要素と、
セルアクセス規制評価持続時間内に前記カウンタ値が第１のアクセス規制しきい値以上になると決定するように構成されるセルアクセス規制決定器と、
前記セルアクセス規制評価持続時間内に、前記カウンタ値が前記第１のアクセス規制しきい値以上になるとの決定に応答して、第１のアクセス規制持続時間にわたって前記ＵＥが前記第１のセルとのＲＲＣ再確立手順を実行するのを禁止するように構成される禁止構成要素と、
リセット構成要素と、
モビリティ構成要素と、
を備え、
前記再選択構成要素は、前記第１のアクセス規制持続時間の満了後に生じる、前記第１のセルに関する第１のＲＬＦおよび第２のＲＬＦを検出するようにさらに構成され、前記第１のＲＬＦは第１の時間値において検出され、前記第２のＲＬＦは第２の時間値において検出され、
前記リセット構成要素は、前記第１の時間値と第２の時間値との間の持続時間がリセット持続時間以上になると決定するように構成され、
前記モビリティ構成要素は、前記第１の時間値と第２の時間値との間の前記持続時間が前記リセット持続時間以上になるとの決定に応答して、前記第１のセルとのＲＲＣ再確立を実行するように構成される、
通信システムにおける改善された無線リソース制御（ＲＲＣ）再確立のための装置。
【請求項１９】
前記第１のアクセス規制持続時間中に第２のセルとのＲＲＣ再確立手順を実行するように構成されるモビリティ構成要素をさらに備える、請求項１８に記載の装置。
【請求項２０】
前記セルアクセス規制決定器は、前記セルアクセス規制評価持続時間内に前記カウンタ値が第２のアクセス規制しきい値以上になると決定するようにさらに構成され、
前記禁止構成要素は、第２のアクセス規制持続時間にわたって前記ＵＥが前記第１のセルとの前記ＲＲＣ再確立手順を実行するのを禁止するようにさらに構成される、請求項１８に記載の装置。
【請求項２１】
前記モビリティ構成要素は、前記第２のアクセス規制持続時間中に第２のセルとのＲＲＣ再確立手順を実行するようにさらに構成される、請求項２０に記載の装置。
【請求項２２】
前記第２のアクセス規制持続時間は前記第１のアクセス規制持続時間より、持続時間が長い、請求項２０に記載の装置。
【請求項２３】
前記第２のアクセス規制しきい値は、前記第１のアクセス規制しきい値と等しい、請求項２０に記載の装置。
【請求項２４】
前記第２のアクセス規制しきい値は前記第１のアクセス規制しきい値より小さいか、または大きい、請求項２０に記載の装置。
【請求項２５】
前記決定することは、前記セルアクセス規制評価持続時間がセルアクセス規制評価持続時間しきい値に達すると決定することを含む、請求項１８に記載の装置。
【請求項２６】
前記セルアクセス規制評価持続時間は、先行するセルアクセス規制評価持続時間の少なくとも一部を含む、請求項１８に記載の装置。
【発明の詳細な説明】
【技術分野】
【０００１】
優先権の主張
[0001]本特許出願は、２０１４年１０月１日に出願された「ＡＤＤＲＥＳＳＩＮＧ  ＲＡＤＩＯ  ＬＩＮＫ  ＦＡＩＬＵＲＥＳ  ＩＮ  ＷＩＲＥＬＥＳＳ  ＣＯＭＭＵＮＩＣＡＴＩＯＮ  ＳＹＳＴＥＭＳ」と題する米国非仮特許出願第１４／５０３，８８６号、２０１３年１０月２８日に出願された「ＭＥＴＨＯＤＳ  ＡＮＤ  ＡＰＰＡＲＡＴＵＳ  ＦＯＲ  ＡＤＤＲＥＳＳＩＮＧ  ＲＡＤＩＯ  ＬＩＮＫ  ＦＡＩＬＵＲＥＳ  ＩＮ  ＷＩＲＥＬＥＳＳ  ＣＯＭＭＵＮＩＣＡＴＩＯＮ  ＳＹＳＴＥＭＳ」と題する米国仮特許出願６１／８９６，４２１号、および２０１３年１０月１０日に出願された「ＭＥＴＨＯＤＳ  ＡＮＤ  ＡＰＰＡＲＡＴＵＳ  ＦＯＲ  ＡＤＤＲＥＳＳＩＮＧ  ＲＡＤＩＯ  ＬＩＮＫ  ＦＡＩＬＵＲＥＳ  ＩＮ  ＷＩＲＥＬＥＳＳ  ＣＯＭＭＵＮＩＣＡＴＩＯＮ  ＳＹＳＴＥＭＳ」と題する米国仮特許出願第６１／８８９，３８８号の優先権を主張し、それらの特許出願のすべては本発明の譲受人に譲渡され、参照により本明細書に明確に援用される。
【０００２】
[0002]本開示は、包括的には通信システムに関し、より詳細には、ワイヤレス通信システムにおける繰り返される無線リンク障害に対処することに関する。
【背景技術】
【０００３】
[0003]ワイヤレス通信システムは、電話、ビデオ、データ、メッセージング、およびブロードキャストなど、種々の電気通信サービスを提供するために広く展開されている。通常のワイヤレス通信システムは、利用可能なシステムリソース（たとえば、帯域幅、送信電力）を共有することによって複数のユーザとの通信をサポートすることが可能な多元接続技術を利用することができる。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが都市、国家、地域、さらには地球レベルで通信できるようにする共通プロトコルを提供する種々の電気通信規格において採用されている。新たに現れた電気通信規格の一例が、ロングタームエボリューション（ＬＴＥ（登録商標）：Long Term Evolution）である。ＬＴＥは、第３世代パートナーシッププロジェクト（３ＧＰＰ（登録商標）：Third Generation Partnership Project）によって公表されたユニバーサルモバイル電気通信システム（ＵＭＴＳ：Universal Mobile Telecommunications System）モバイル規格に対する１組の拡張版である。ＬＴＥは、スペクトル効率を改善することによってモバイルブロードバンドインターネットアクセスをより良好にサポートし、コストを削減し、サービスを改善し、新しいスペクトルを利用し、また、ダウンリンク（ＤＬ：downlink）上でＯＦＤＭＡを、アップリンク（ＵＬ：uplink）上でＳＣ−ＦＤＭＡを、そして多入力多出力（ＭＩＭＯ：multiple-input multiple-output）アンテナ技術を使用して、他の公開規格とより良好に統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を利用する電気通信規格とに適用可能であるべきである。
【０００５】
[0005]いくつかのワイヤレス通信ネットワークでは、ネットワーク接続を確立するか、または維持する際に障害がある結果として、ワイヤレス通信の性能および品質が著しく劣化するおそれがある。さらに、そのようなシナリオでは、それらの劣化を修復する際に制約がある場合もある。したがって、再選択手順の改善が望まれる。
【発明の概要】
【０００６】
[0006]以下では、１つまたは複数の態様の基本的理解を与えるために、そのような態様の簡略化された概要を提示する。この概要は、すべての考えられる態様の包括的な概説ではなく、すべての態様の主要または重要な要素を識別することも、いずれかまたはすべての態様の範囲を定めることも意図していない。その唯一の目的は、後に提示されるより詳細な説明の導入として、１つまたは複数の態様のいくつかの概念を簡略化された形で提示することである。
【０００７】
[0007]一態様では、ワイヤレス通信システム内の改善された無線リソース制御（ＲＲＣ：radio resource control）再確立の方法が、第１のセルとの無線リソース制御（ＲＲＣ）接続状態にあるユーザ機器（ＵＥ）による無線リンク障害（ＲＬＦ：radio link failure）の検出に基づいて、第１のセルに関連付けられるカウンタ値をインクリメントすることを含む。その方法はさらに、セルアクセス規制評価持続時間内にカウンタ値が第１のアクセス規制しきい値以上になると決定することを含む。さらに、その方法は、第１のアクセス規制持続時間にわたってＵＥが第１のセルとのＲＲＣ再確立手順を実行するのを禁止することを含む。
【０００８】
[0008]別の態様では、改善された無線リソース制御（ＲＲＣ）再確立のためのコンピュータ実行可能コードを記憶するコンピュータ可読媒体が、第１のセルとのＲＲＣ接続状態にあるユーザ機器（ＵＥ）による無線リンク障害（ＲＬＦ）の検出に基づいて、第１のセルに関連付けられるカウンタ値をインクリメントするために実行可能なコードを含む。そのコンピュータ可読媒体はさらに、セルアクセス規制評価持続時間内にカウンタ値が第１のアクセス規制しきい値以上になると決定するために実行可能なコードを含む。さらに、コンピュータ可読媒体は、第１のアクセス規制持続時間にわたってＵＥが第１のセルとのＲＲＣ再確立手順を実行するのを禁止するために実行可能なコードを含む。
【０００９】
[0009]さらなる態様では、ワイヤレス通信システム内の改善された無線リソース制御（ＲＲＣ）再確立のための装置が、第１のセルとのＲＲＣ接続状態にあるユーザ機器（ＵＥ）による無線リンク障害（ＲＬＦ）の検出に基づいて、第１のセルに関連付けられるカウンタ値をインクリメントするための手段を含む。その装置はさらに、セルアクセス規制評価持続時間内にカウンタ値が第１のアクセス規制しきい値以上になると決定するための手段を含む。さらに、その装置は、第１のアクセス規制持続時間にわたってＵＥが第１のセルとのＲＲＣ再確立手順を実行するのを禁止するための手段を含む。
【００１０】
[0010]さらなる態様では、通信システム内の改善された無線リソース制御（ＲＲＣ）再確立のための装置が、第１のセルとのＲＲＣ接続状態にあるユーザ機器（ＵＥ）による無線リンク障害（ＲＬＦ）の検出に基づいて、第１のセルに関連付けられるカウンタ値をインクリメントするように構成される再選択構成要素を含む。その装置はさらに、セルアクセス規制評価持続時間内にカウンタ値が第１のアクセス規制しきい値以上になると決定するように構成されるセルアクセス規制決定器を含む。さらに、その装置は、第１のアクセス規制持続時間にわたってＵＥが第１のセルとのＲＲＣ再確立手順を実行するのを禁止するように構成される禁止構成要素を含む。
【００１１】
[0011]上記の、および関連する目的を達成するために、１つまたは複数の態様は、以下に十分に説明され、特許請求の範囲において特に指摘される特徴を備える。以下の説明および添付の図面は、１つまたは複数の態様のうちのいくつかの例示的な特徴を詳細に記載する。しかしながら、これらの特徴は、種々の態様の原理が利用される場合がある種々の方法のうちのいくつかを示すにすぎず、この説明は、すべてのそのような態様およびそれらの均等物を含むことを意図している。
【００１２】
[0012]本開示の特徴、性質、および利点は、全体を通じて同様の参照符号が同様のものを識別する図面と併用されるときに、以下に記載される詳細な説明からより明らかになり、なお図面において、破線はオプションの構成要素または動作を示す場合がある。
【図面の簡単な説明】
【００１３】
【図１】[0013]本開示の一態様によるネットワークアーキテクチャの一例を示す図。
【図２】[0014]本開示の一態様によるアクセスネットワークの一例を示す図。
【図３】[0015]本開示の一態様による、ＬＴＥ内のＤＬフレーム構造の一例を示す図。
【図４】[0016]本開示の一態様による、ＬＴＥ内のＵＬフレーム構造の一例を示す図。
【図５】[0017]本開示の一態様による、ユーザプレーンおよび制御プレーンのための無線プロトコルアーキテクチャの一例を示す図。
【図６】[0018]本開示の一態様による、アクセスネットワーク内の発展型ＮｏｄｅＢおよびユーザ機器の一例を示す図。
【図７】[0019]特定のセルへの再選択を禁止することができるユーザ機器の一態様を含む通信ネットワークの概略図。
【図８】[0020]本開示の一態様、たとえば、図７による、セル再選択機構の一態様を示す流れ図。
【図９】[0021]本開示の一態様、たとえば、図７による、セル再選択機構の第１のアクセス規制持続時間の一態様の流れ図。
【図１０】[0022]本開示の一態様、たとえば、図７による、セル再選択機構の第２のアクセス規制持続時間の一態様の流れ図。
【図１１】[0023]本開示の一態様による、例示的な装置内の異なるモジュール／手段／構成要素間のデータフローを示す概念的なデータフロー図。
【図１２】[0024]本開示の一態様による、処理システムを利用する装置のためのハードウェア実施態様の一例を示す図。
【発明を実施するための形態】
【００１４】
[0025]添付の図面に関して以下に記載される詳細な説明は、種々の構成を説明するものであり、本明細書において説明される概念が実施され得る唯一の構成を表すものではない。詳細な説明は、種々の概念を完全に理解してもらう目的で、具体的な詳細を含む。しかしながら、これらの概念はこれらの具体的な詳細なしに実施され得ることが、当業者には明らかであろう。いくつかの例では、そのような概念を曖昧にするのを回避するために、よく知られている構成要素がブロック図の形態で示される。一態様では、本明細書において使用されるときに「構成要素」という用語は、システムを構成する部分のうちの１つとすることができ、ハードウェア、ファームウェアおよび／またはソフトウェアとすることができ、および他の構成要素に分割され得る。
【００１５】
[0026]ここで、種々の装置および方法を参照しながら電気通信システムのいくつかの態様が提示される。これらの装置および方法は、種々のブロック、モジュール、構成要素、回路、ステップ、プロセス、アルゴリズムなど（集合的に「要素」と呼ばれる）によって、以下の詳細な説明において説明され、添付の図面に示される。これらの要素は、電子ハードウェア、コンピュータソフトウェア、またはそれらの任意の組合せを使用して実現され得る。そのような要素がハードウェアとして実現されるか、ソフトウェアとして実現されるかは、特定の適用例および全体的なシステムに課せられる設計制約によって決まる。
【００１６】
[0027]例として、要素、または要素の任意の部分、または要素の任意の組合せが、１つまたは複数のプロセッサを含む「処理システム」を用いて実現される場合がある。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される種々の機能を実行するように構成される他の適切なハードウェアを含む。処理システム内の１つまたは複数のプロセッサがソフトウェアを実行することができる。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１７】
[0028]したがって、１つまたは複数の態様では、説明される機能は、ハードウェア、ソフトウェア、ファームウェア、またはそれらの任意の組合せにおいて実現され得る。ソフトウェアにおいて実現される場合、その機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体とすることができる。例であって、限定はしないが、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶装置、あるいは所望のプログラムコードを命令またはデータ構造の形式で搬送または記憶するために使用され得る、そしてコンピュータによってアクセスされ得る、他の任意の媒体を備えることができる。本明細書において使用されるときに、ディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１８】
[0029]本態様は、包括的には、ワイヤレス通信システム内の無線リンク障害（ＲＬＦ）に対処することに関する。具体的には、いくつかのワイヤレス通信システムでは、呼継続中に、たとえば、サービンセルとのネットワーク条件不良に起因して、ユーザ機器（ＵＥ）が、１つまたは複数のＲＬＦを受ける場合がある。すなわち、１つまたは複数のＲＬＦを検出する際に、ＵＥは、呼を搬送する無線チャネルの信号強度が弱いか、または急激に劣化しつつある可能性があり、それゆえ、もはやその呼を継続するために使用するのに適していないことを検出することができる。それに応じて、そのような検出は、その呼を別のセルに転送するために、ＵＥにセル再選択またはハンドオフを実行させることができるか、またはＵＥが実行するのをトリガすることができる。たとえば、ＵＥは最も適したセルにキャンプオンすることができ、少なくとも最も適したセルとの無線リソース制御（ＲＲＣ）接続再確立手順を試みることができる。しかしながら、いくつかのシナリオでは、ＵＥは、ネットワーク条件不良に加えて、欠陥のあるネットワーク構成に起因して、セル再選択のための望ましいターゲットとして、そのＵＥが通信している現在のセルを識別し続ける場合がある。言い換えると、ＵＥは別のセルに再選択することができない場合がある。それゆえ、ＵＥは、現在のセルからのＲＲＣ接続を別のさらに適したセルに引き渡すことができないので、連続的なＲＬＦを受ける場合がある。
【００１９】
[0030]その場合、本態様は、ＵＥに潜在的により適したセルに再選択する（たとえば、潜在的により適したセルへのＲＲＣ再確立を実行する）機会を与えるように、所与の期間にわたって、現在のサービングセル上でＵＥがＲＲＣ再確立を試みるのを禁止することができる。したがって、いくつかの態様では、本方法および装置は、ＵＥが、ＵＥの位置に対する通信カバレッジを与える、潜在的により適したセル、たとえば、サービングセルに比べて適したセルを再選択するか、または、そのセルとのＲＲＣ接続再確立に関与できるようにするために、現在の解決策に比べて効率的な解決策を提供することができる。さらに、本方法および装置は、ＵＥの欠陥のあるネットワーク構成を克服する機構を提供することができる。
【００２０】
[0031]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２を含むことができ、ＵＥ１０２は、潜在的により適したセルに再選択する（たとえば、ＲＲＣ再確立を実行する）機会をＵＥに与えるように、たとえば、ＲＬＦに基づいて、所与の時間期間にわたってＵＥが現在のサービングセルへのＲＲＣ再確立を試みるのを禁止するように構成される再選択構成要素７２０（図７）を含むことができる。さらに、ＥＰＳ１００、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２。ＥＰＳは他のアクセスネットワークと相互接続することができるが、簡単にするために、それらのエンティティ／インターフェースは図示されない。図示されるように、ＥＰＳはパケット交換サービスを提供するが、当業者なら容易に理解するように、本開示全体にわたって提示される種々の概念は、回線交換サービスを提供するネットワークに拡張され得る。
【００２１】
[0032]Ｅ−ＵＴＲＡＮは、発展型ＮｏｄｅＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、または何らかの他の適切な用語で呼ばれる場合もある。ｅＮＢ１０６は、ＵＥ１０２にＥＰＣ１１０へのアクセスポイントを与える。ＵＥ１０２の例は、セルラー電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスを含む。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれる場合もある。
【００２２】
[0033]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。モビリティモジュールエンティティ（ＭＭＥ：mobility module entity）１１２は、ＵＥ１０２とＥＰＣ１１０との間のシグナリングを処理する制御ノードである。概して、ＭＭＥ１１２はベアラおよび接続管理を提供する。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を提供する。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含むことができる。
【００２３】
[0034]図２は、ＬＴＥネットワークアーキテクチャにおけるアクセスネットワーク２００の一例を示す図であり、そのネットワークでは、１つまたは複数のＵＥ２０６がそれぞれ、本明細書において論じられるような再選択構成要素７２０（図７）を含むことができる。この例では、アクセスネットワーク２００はいくつかのセルラー領域（セル）２０２に分割される。１つまたは複数のより低い電力クラスのｅＮＢ２０８が、セル２０２のうちの１つまたは複数と重複するセルラー領域２１０を有する場合がある。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）とすることができる。マクロｅＮＢ２０４はそれぞれ、個々のセル２０２に割り当てられ、セル２０２内のすべてのＵＥ２０６にＥＰＣ１１０へのアクセスポイントを与えるように構成される。アクセスネットワーク２００のこの例では中央コントローラは存在しないが、代替の構成では中央コントローラが使用され得る。ｅＮＢ２０４は、無線ベアラ制御、アドミッション制御、モビリティ制御、スケジューリング、セキュリティ、およびサービングゲートウェイ１１６への接続性を含む、すべての無線関連機能を担う。
【００２４】
[0035]アクセスネットワーク２００によって利用される変調および多元接続方式は、展開されている特定の電気通信規格に応じて異なる場合がある。ＬＴＥ適用例では、周波数分割複信（ＦＤＤ：frequency division duplexing）と時分割複信（ＴＤＤ：time division duplexing）の両方をサポートするために、ＤＬ上でＯＦＤＭが使用され、ＵＬ上でＳＣ−ＦＤＭＡが使用される。当業者であれば以下の詳細な説明から容易に理解するように、本明細書において提示される種々の概念はＬＴＥ適用例に非常に適している。しかしながら、これらの概念は、他の変調および多元接続技法を利用する他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、ＣＤＭＡを利用して、移動局にブロードバンドインターネットアクセスを提供する。
【００２５】
[0036]また、これらの概念は、広帯域ＣＤＭＡ（Ｗ−ＣＤＭＡ（登録商標））とＴＤ−ＳＣＤＭＡなどのＣＤＭＡの他の変形形態とを利用するユニバーサル地上波無線アクセス（ＵＴＲＡ）、ＴＤＭＡを利用するモバイル通信用グローバルシステム（ＧＳＭ（登録商標））、ならびに、ＯＦＤＭＡを利用する発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭにも拡張され得る。ＵＴＲＡ、Ｅ−ＵＴＲＡ、ＵＭＴＳ、ＬＴＥおよびＧＳＭは、３ＧＰＰという組織からの文書に記載されている。ＣＤＭＡ２０００およびＵＭＢは、３ＧＰＰ２という組織からの文書に記載されている。利用される実際のワイヤレス通信規格および多元接続技術は、特定の適用例と、システムに課される全体的な設計制約とによって決まることになる。
【００２６】
[0037]ｅＮＢ２０４は、ＭＩＭＯ技術をサポートする複数のアンテナを有することができる。ＭＩＭＯ技術の使用により、ｅＮＢ２０４は、空間領域を活用して、空間多重化、ビームフォーミング、および送信ダイバーシティをサポートできるようになる。空間多重化は、データの異なるストリームを同じ周波数上で同時に送信するために使用される場合がある。データストリームは、データ速度を増加させるために単一のＵＥ２０６に送信され得るか、または全体的なシステム容量を増加させるために複数のＵＥ２０６に送信され得る。これは、各データストリームを空間的にプリコーディングし（すなわち、振幅および位相のスケーリングを適用し）、その後、ＤＬ上で複数の送信アンテナを通して空間的にプリコーディングされた各ストリームを送信することによって達成される。空間的にプリコーディングされたデータストリームは、異なる空間シグネチャとともにＵＥ２０６に到着し、これにより、ＵＥ２０６はそれぞれ、そのＵＥ２０６に宛てられた１つまたは複数のデータストリームを再生できるようになる。ＵＬ上では、各ＵＥ２０６は、空間的にプリコーディングされたデータストリームを送信し、これにより、ｅＮＢ２０４は、空間的にプリコーディングされた各データストリームのソースを識別できるようになる。
【００２７】
[0038]空間多重化は、概して、チャネル状態が良好であるときに使用される。チャネル状態があまり好ましくないとき、送信エネルギーを１つまたは複数の方向に集中させるためにビームフォーミングが使用され得る。これは、複数のアンテナを介して送信するためにデータを空間的にプリコーディングすることによって達成され得る。セルのエッジにおいて良好なカバレージを達成するために、送信ダイバーシティと組み合わせてシングルストリームビームフォーミング送信が使用され得る。
【００２８】
[0039]以下の詳細な説明では、アクセスネットワークの種々の態様が、ＤＬ上でＯＦＤＭをサポートするＭＩＭＯシステムを参照しながら説明されることになる。ＯＦＤＭは、ＯＦＤＭシンボル内でいくつかのサブキャリアを介してデータを変調するスペクトル拡散技法である。サブキャリアは正確な周波数だけ離間される。離間することは、受信機がサブキャリアからデータを再生できるようにする「直交性」を与える。時間領域では、ＯＦＤＭシンボル間干渉をなくすために、各ＯＦＤＭシンボルにガードインターバル（たとえば、サイクリックプレフィックス）が追加され得る。ＵＬは、高いピーク対平均電力比（ＰＡＰＲ）を補償するために、ＤＦＴ拡散ＯＦＤＭ信号の形でＳＣ−ＦＤＭＡを使用することができる。
【００２９】
[0040]図３は、本明細書において説明されるような再選択構成要素７２０（図７）を含む、ＵＥ７０２（図７）のようなＵＥによって受信される場合がある、ＬＴＥ内のＤＬフレーム構造の一例を示す図３００である。１フレーム（１０ｍｓ）が、等しいサイズの１０個のサブフレームに分割され得る。各サブフレームは、２つの連続するタイムスロットを含むことができる。２つのタイムスロットを表すためにリソースグリッドが使用される場合があり、各タイムスロットは１つのリソースブロックを含む。リソースグリッドは複数のリソース要素に分割される。ＬＴＥでは、リソースブロックは、周波数領域において１２個の連続するサブキャリアを含み、そして各ＯＦＤＭシンボル内の標準サイクリックプレフィックスの場合、時間領域において７つの連続するＯＦＤＭシンボルを含み、すなわち、８４個のリソース要素を含む。拡張サイクリックプレフィックスの場合、リソースブロックは、時間領域において６つの連続するＯＦＤＭシンボルを含み、７２個のリソース要素を有する。Ｒ３０２、３０４として示されるような、リソース要素のうちのいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式によって決まる。したがって、再選択構成要素７２０を含む図７のＵＥ７０２のようなＵＥが受信するリソースブロックが多いほど、また変調方式が高いほど、ＵＥのデータ速度は高くなる。
【００３０】
[0041]図４は、ＬＴＥ内のＵＬフレーム構造の一例を示す図４００であり、ＵＥフレーム構造は、本明細書において説明されるような再選択構成要素７２０（図７）を含む、ＵＥ７０２（図７）のようなＵＥによって送信され得る。ＵＬのための利用可能なリソースブロックは、データセクションと制御セクションとに区分され得る。制御セクションは、システム帯域幅の２つのエッジに形成される場合があり、構成可能なサイズを有することができる。制御セクション内のリソースブロックは、制御情報を送信するためにＵＥに割り当てられ得る。データセクションは、制御セクション内に含まれないすべてのリソースブロックを含むことができる。ＵＬフレーム構造によって、結果として、データセクションが隣接するサブキャリアを含むようになり、それにより、単一のＵＥに、データセクション内の隣接するサブキャリアのすべてを割り当てることができるようになる。
【００３１】
[0042]再選択構成要素７２０を含むＵＥ７０２（図７）のようなＵＥは、ｅＮＢに制御情報を送信するために、制御セクション内のリソースブロック４１０ａ、４１０ｂが割り当てられ得る。また、ＵＥは、ｅＮＢにデータを送信するために、データセクション内のリソースブロック４２０ａ、４２０ｂを割り当てられ得る。ＵＥは、制御セクション内の割り当てられたリソースブロック上の物理ＵＬ制御チャネル（ＰＵＣＣＨ）において制御情報を送信することができる。ＵＥは、データセクション内の割り当てられたリソースブロック上で物理ＵＬ共有チャネル（ＰＵＳＣＨ）においてデータのみを、またはデータと制御情報との両方を送信することができる。ＵＬ送信は、サブフレームの両方のスロットに及ぶ場合があり、周波数にわたってホッピングすることができる。
【００３２】
[0043]初期システムアクセスを実行し、物理ランダムアクセスチャネル（ＰＲＡＣＨ：physical random access channel）４３０においてＵＬ同期を達成するために、１組のリソースブロックが使用され得る。ＰＲＡＣＨ４３０は、ランダム系列を搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。ＰＲＡＣＨのための周波数ホッピングはない。ＰＲＡＣＨ試行は単一のサブフレーム（１ｍｓ）において、または一連の少数の隣接するサブフレームにおいて搬送され、ＵＥはフレーム（１０ｍｓ）ごとに単一のＰＲＡＣＨ試行のみを行うことができる。
【００３３】
[0044]図５は、ＬＴＥにおけるユーザプレーンおよび制御プレーンのための無線プロトコルアーキテクチャの一例を示す図５００である。その無線プロトコルアーキテクチャは、再選択構成要素７２０を含むＵＥ７０２（図７）のようなＵＥと、ｅＮＢとによって用いられる場合があり、無線アーキテクチャは、３つのレイヤ：レイヤ１、レイヤ２、およびレイヤ３を含む。レイヤ１（Ｌ１レイヤ）は最下位レイヤであり、種々の物理レイヤ信号処理機能を実施する。Ｌ１レイヤは本明細書において物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担う。
【００３４】
[0045]ユーザプレーンにおいて、Ｌ２レイヤ５０８は、ネットワーク側のｅＮＢにおいて終端される、媒体アクセス制御（ＭＡＣ）サブレイヤ５１０と、無線リンク制御（ＲＬＣ）サブレイヤ５１２と、パケットデータコンバージェンスプロトコル（ＰＤＣＰ：packet data convergence protocol）５１４サブレイヤとを含む。図示されないが、ＵＥは、ネットワーク側のＰＤＮゲートウェイ１１８において終端されるネットワークレイヤ（たとえば、ＩＰレイヤ）と、接続の他端（たとえば、遠端ＵＥ、サーバなど）において終端されるアプリケーションレイヤとを含む、Ｌ２レイヤ５０８の上にいくつかの上位レイヤを有することができる。
【００３５】
[0046]ＰＤＣＰサブレイヤ５１４は、異なる無線ベアラと論理チャネルとの間で多重化を提供する。また、ＰＤＣＰサブレイヤ５１４は、無線送信オーバーヘッドを低減するための上位レイヤデータパケットのためのヘッダ圧縮と、データパケットを暗号化することによるセキュリティと、ＵＥのためのｅＮＢ間ハンドオーバサポートとを提供する。ＲＬＣサブレイヤ５１２は、上位レイヤデータパケットのセグメンテーションおよびリアセンブリと、紛失データパケットの再送と、ハイブリッド自動再送要求（ＨＡＲＱ）に起因して異なる順序で受信されたデータパケットを補償するための並べ替えとを提供する。ＭＡＣサブレイヤ５１０は、論理チャネルとトランスポートチャネルとの間の多重化を提供する。また、ＭＡＣサブレイヤ５１０は、１つのセル内の種々の無線リソース（たとえば、リソースブロック）をＵＥ間に割り振ることを担う。また、ＭＡＣサブレイヤ５１０は、ＨＡＲＱオペレーションを担う。
【００３６】
[0047]制御プレーンにおいて、ＵＥおよびｅＮＢのための無線プロトコルアーキテクチャは、制御プレーンのためのヘッダ圧縮機能がないことを除いて、物理レイヤ５０６およびＬ２レイヤ５０８の場合と実質的に同じである。また、制御プレーンは、レイヤ３（Ｌ３レイヤ）内に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを用いて下位レイヤを構成することとを担う。
【００３７】
[0048]図６は、アクセスネットワーク内でＵＥ６５０と通信するｅＮＢ６１０のブロック図である。ＵＥ６５０は、図７の再選択構成要素７２０を含むＵＥ７０２と同じ、または類似とすることができる。ＤＬにおいて、コアネットワークからの上位レイヤパケットがコントローラ／プロセッサ６７５に与えられる。コントローラ／プロセッサ６７５はＬ２レイヤの機能を実施する。ＤＬにおいて、コントローラ／プロセッサ６７５は、種々の優先度測定基準に基づいて、ヘッダ圧縮と、暗号化と、パケットセグメンテーションおよび並べ替えと、論理チャネルとトランスポートチャネルとの間の多重化と、ＵＥ６５０への無線リソース割振りとを提供する。また、コントローラ／プロセッサ６７５は、ＨＡＲＱオペレーションと、紛失パケットの再送と、ＵＥ６５０へのシグナリングとを担う。
【００３８】
[0049]送信（ＴＸ）プロセッサ６１６は、Ｌ１レイヤ（すなわち、物理レイヤ）のための種々の信号処理機能を実施する。信号処理機能は、ＵＥ６５０における順方向誤り訂正（ＦＥＣ）を容易にするためのコーディングおよびインターリービングと、種々の変調方式（たとえば、２相シフトキーイング（ＢＰＳＫ）、４相シフトキーイング（ＱＰＳＫ）、Ｍ相シフトキーイング（Ｍ−ＰＳＫ）、多値直交振幅変調（Ｍ−ＱＡＭ））に基づく信号コンスタレーションへのマッピングとを含む。コーディングされ、変調されたシンボルは、その後、並列ストリームに分割される。各ストリームは、その後、ＯＦＤＭサブキャリアにマッピングされ、時間領域および／または周波数領域において基準信号（たとえば、パイロット）と多重化され、その後、時間領域ＯＦＤＭシンボルストリームを搬送する物理チャネルを生成するために、逆高速フーリエ変換（ＩＦＦＴ）を用いて互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用される場合がある。チャネル推定値は、ＵＥ６５０によって送信される基準信号および／またはチャネル状態フィードバックから導出され得る。各空間ストリームは、その後、別の送信機６１８ＴＸを介して異なるアンテナ６２０に与えられる。各送信機６１８ＴＸは、送信のためにそれぞれの空間ストリームでＲＦキャリアを変調する。
【００３９】
[0050]ＵＥ６５０において、各受信機６５４ＲＸは、それのそれぞれのアンテナ６５２を通して信号を受信する。各受信機６５４ＲＸは、ＲＦキャリア上に変調された情報を再生し、受信機（ＲＸ）プロセッサ６５６に情報を与える。ＲＸプロセッサ６５６はＬ１レイヤの種々の信号処理機能を実施する。ＲＸプロセッサ６５６は、ＵＥ６５０に宛てられた任意の空間ストリームを再生するために、情報に関する空間処理を実行する。複数の空間ストリームがＵＥ６５０に宛てられる場合には、それらの空間ストリームはＲＸプロセッサ６５６によって単一のＯＦＤＭシンボルストリームに合成され得る。ＲＸプロセッサ６５６は、その後、高速フーリエ変換（ＦＦＴ）を用いてＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、最も可能性が高い信号コンスタレーションポイントを決定することによって再生され、復調される。これらの軟決定は、チャネル推定器６５８によって計算されるチャネル推定値に基づくことができる。軟決定は、その後、物理チャネル上でｅＮＢ６１０によって本来送信されたデータ信号と制御信号とを再生するために復号され、デインターリーブされる。データ信号と制御信号とは、その後、コントローラ／プロセッサ６５９に与えられる。
【００４０】
[0051]コントローラ／プロセッサ６５９はＬ２レイヤを実現する。コントローラ／プロセッサは、プログラムコードとデータとを記憶するメモリ６６０に関連付けられ得る。メモリ６６０はコンピュータ可読媒体と呼ばれる場合がある。ＵＬにおいて、コントローラ／プロセッサ６５９は、コアネットワークからの上位レイヤパケットを再生するために、トランスポートチャネルと論理チャネルとの間の逆多重化と、パケットリアセンブリと、暗号解読（decipher）と、ヘッダ解凍（decompression）と、制御信号処理とを提供する。上位レイヤパケットは、その後、Ｌ２レイヤの上方のすべてのプロトコルレイヤを表す、データシンク６６２に与えられる。また、種々の制御信号が、Ｌ３処理のためにデータシンク６６２に与えられ得る。また、コントローラ／プロセッサ６５９は、ＨＡＲＱオペレーションをサポートするために肯定応答（ＡＣＫ）および／または否定応答（ＮＡＣＫ）プロトコルを用いて誤り検出も担う。
【００４１】
[0052]ＵＬにおいて、データソース６６７は、コントローラ／プロセッサ６５９に上位レイヤパケットを与えるために使用される。データソース６６７は、Ｌ２レイヤの上方のすべてのプロトコルレイヤを表す。ｅＮＢ６１０によるＤＬ送信に関連して説明された機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを提供することによって、ユーザプレーンおよび制御プレーンのためのＬ２レイヤを実現する。また、コントローラ／プロセッサ６５９は、ＨＡＲＱオペレーションと、紛失パケットの再送と、ｅＮＢ６１０へのシグナリングとを担う。
【００４２】
[0053]ｅＮＢ６１０によって送信される基準信号またはフィードバックからチャネル推定器６５８によって導出されるチャネル推定値は、適切なコーディングおよび変調方式を選択するために、そして空間処理を容易にするために、ＴＸプロセッサ６６８によって使用され得る。ＴＸプロセッサ６６８によって生成される空間ストリームは、別々の送信機６５４ＴＸを介して異なるアンテナ６５２に与えられる。各送信機６５４ＴＸは、送信のためにそれぞれの空間ストリームでＲＦキャリアを変調する。
【００４３】
[0054]ＵＬ送信は、ＵＥ６５０における受信機機能に関連して説明されたのと同じようにしてｅＮＢ６１０において処理される。各受信機６１８ＲＸは、それぞれのアンテナ６２０を通して信号を受信する。各受信機６１８ＲＸは、ＲＦキャリア上に変調された情報を再生し、その情報をＲＸプロセッサ６７０に与える。ＲＸプロセッサ６７０はＬ１レイヤを実現することができる。
【００４４】
[0055]コントローラ／プロセッサ６７５はＬ２レイヤを実現する。コントローラ／プロセッサ６７５は、プログラムコードとデータとを記憶するメモリ６７６に関連付けられ得る。メモリ６７６はコンピュータ可読媒体と呼ばれる場合がある。ＵＬにおいて、コントローラ／プロセッサ６７５は、ＵＥ６５０からの上位レイヤパケットを再生するために、トランスポートチャネルと論理チャネルとの間の逆多重化と、パケットリアセンブリと、暗号解読と、ヘッダ解凍と、制御信号処理とを提供する。コントローラ／プロセッサ６７５からの上位レイヤパケットはコアネットワークに与えられ得る。また、コントローラ／プロセッサ６７５は、ＨＡＲＱオペレーションをサポートするためにＡＣＫおよび／またはＮＡＣＫプロトコルを用いて誤り検出を担う。
【００４５】
[0056]図７を参照すると、一態様において、ワイヤレス通信システム７００が、少なくとも第１のネットワークエンティティ７０４および第２のネットワークエンティティ７０６の通信カバレッジ内に少なくとも１つのＵＥ７０２を含む。ＵＥ７０２は、第１のネットワークエンティティ７０４および第２のネットワークエンティティ７０６のうちの一方または両方を介してネットワーク７０８と通信することができる。いくつかの態様では、ＵＥ７０２を含む複数のＵＥが、第１のネットワークエンティティ７０４および第２のネットワークエンティティ７０６を含む１つまたは複数のネットワークエンティティによる通信カバレッジ内に存在する場合がある。たとえば、ＵＥ７０２は、１つまたは複数の通信チャネル７１０上で、またはそれらの通信チャネル７１０を用いて第１のネットワークエンティティ７０４と通信することができる。さらに、たとえば、ＵＥ７０２は、１つまたは複数の通信チャネル７１２上で、またはそれらの通信チャネルを用いて第２のネットワークエンティティ７０６と通信することができる。
【００４６】
[0057]ＵＥ７０２は、第１のネットワークエンティティ７０４および第２のネットワークエンティティ７０６の１つまたは両方において含まれるか、または展開される１つまたは複数のセルと通信できることは理解されたい。すなわち、ＵＥ７０２は、第１のネットワークエンティティ７０４における１つのセルから第１のネットワークエンティティ７０４または第２のネットワークエンティティ７０６における別のセルに選択または再選択することができる。代替的には、ＵＥ７０２は、第２のネットワークエンティティ７０６における１つのセルから、第１のネットワークエンティティ７０４または第２のネットワークエンティティ７０６における別のセルに選択または再選択することができる。別の態様では、第１のネットワークエンティティ７０４は代替的には第１のセルと呼ばれる場合があり、ＵＥ７０２は第１のセルとのＲＲＣ接続状態を維持する。さらに、ＵＥ７０２は、第１のネットワークエンティティ７０４および／または第２のネットワークエンティティ７０６への／からのワイヤレス通信を送信し、および／または受信することができる。たとえば、そのようなワイヤレス情報は、限定はしないが、１つまたは複数のＲＬＦ７２６の検出に関連する情報を含むことができる。
【００４７】
[0058]いくつかの態様では、ＵＥ７０２は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、ワイヤレス送信／受信ユニット、モノのインターネット(Internet-of-Things)のためのデバイス、または何らかの他の適切な用語で、当業者によって（および本明細書において互換的に）呼ばれる場合もある。
【００４８】
[0059]さらに、第１のネットワークエンティティ７０４および第２のネットワークエンティティ７０６は、マクロセル、スモールセル、ピコセル、フェムトセル、アクセスポイント、リレー、ＮｏｄｅＢ、モバイルＮｏｄｅＢ、ＵＥ（たとえば、ＵＥ７０２とピアツーピアでまたはアドホックモードにおいて通信する）、またはＵＥ１２においてワイヤレスネットワークアクセスを提供するためにＵＥ７０２と通信することができる実質的に任意のタイプの構成要素とすることができる。
【００４９】
[0060]本態様によれば、ＵＥ７０２は、再選択構成要素７２０を含むことができ、再選択構成要素７２０は、ＵＥ７０２が別のセル（たとえば、第２のネットワークエンティティ７０６）に（たとえば、ＲＲＣ再確立手順を介して）再選択するのを可能にするか、または許可するために、所与の持続時間にわたって現在のサービングセルまたはネットワークエンティティ（たとえば、第１のネットワークエンティティ７０４）への再選択を禁止するように構成され得る。たとえば、再選択構成要素７２０は、１つまたは複数のＲＬＦの検出によってトリガされる場合があり、サービングセル（たとえば、第１のネットワークエンティティ７０４）とのＲＲＣ接続を維持する結果として、ＵＥ７０２が連続的なＲＬＦを受ける場合がある状況を緩和することができる。
【００５０】
[0061]上記のことに対処する際に、再選択構成要素７２０は、ＲＬＦの検出に応答して初期の持続時間にわたってＵＥ７０２が第１のネットワークエンティティ７０４（たとえば、サービングセル）とのＲＲＣ再確立手順または再選択を実行するのを禁止することによって、そのような状況を緩和するように構成され得る。さらには、初期の禁止の結果として、改善されたカバレッジおよび信号強度を与える別のセル（たとえば、第２のネットワークエンティティ７０６またはオプションで、第１のネットワークエンティティ７０４の異なるセル）とのＲＲＣ接続の再確立が生じない態様では、再選択構成要素７２０は、初期持続時間より長い後続の持続時間にわたって、ＵＥ７０２がＲＲＣ再確立手順を実行するのを禁止するように構成され得る。
【００５１】
[0062]一態様では、再選択構成要素７２０は、第１のセル（たとえば、第１のネットワークエンティティ７０４）に関連付けられるカウンタ値７２８をインクリメントするように構成され得るカウンタ７２４を含むことができる。いくつかの態様では、インクリメントすることは、ＵＥ７０２によるＲＬＦ７２６の検出に基づくことができる。さらに、ＵＥ７０２は、そのようなインクリメントおよび検出中に、第１のセル（たとえば、第１のネットワークエンティティ７０４）とのＲＲＣ接続状態にあることができる。そのような態様では、カウンタ７２４はカウントを維持するか、または、たとえば、第１のネットワークエンティティ７０４での、ＵＥ７０２によって検出されたＲＬＦ７２６の数に関する表示を与える。その場合に、カウンタ値７２８は、たとえば、セルアクセス規制評価持続時間７３６内でＵＥ７０２によって検出されたＲＬＦの対応する数を示す。カウンタ値７２８は、決まった時間に、継続的に、または所定の時間にセルアクセス規制決定器７３０に送信され得るか、または、セルアクセス規制決定器７３０によって入手され得る。
【００５２】
[0063]さらなる態様では、再選択構成要素７２０は、セルアクセス規制決定器７３０を含むことができ、セルアクセス規制決定器７３０は、セルアクセス規制評価持続時間７３６内にカウンタ値７２８が第１のアクセス規制しきい値７３４以上になると決定するように構成され得る。たとえば、セルアクセス規制決定器７３０は、セルアクセス規制評価持続時間７３６中にカウンタ値７２８が第１のアクセス規制しきい値７３４以上になるか否かを監視するか、または、継続的に決定するように構成され得る。すなわち、ＲＬＦ７２６を検出すると、そのＲＬＦがＵＥ７０２において検出された最初のＲＬＦであっても、そうでなくても、カウンタ７２４が始動する場合があり、セルアクセス規制決定器７３０は、セルアクセス規制評価持続時間７３６を開始するように構成され得る。
【００５３】
[0064]他の態様では、セルアクセス規制決定器７３０は、連続するセルアクセス規制評価持続時間７３６中にカウンタ値７２８を継続的に監視するように構成され得る。たとえば、第１のＲＬＦを検出すると、セルアクセス規制評価持続時間７３６をトリガする代わりに、またはトリガするのに加えて、セルアクセス規制決定器は、セルアクセス規制評価持続時間７３６中に、カウンタ値７２８が第１のアクセス規制しきい値７３４以上になったか否かを決定するように構成され得る。言い換えると、セルアクセス規制評価持続時間７３６は、先行するセルアクセス規制評価持続時間の少なくとも一部を含むことができる。
【００５４】
[0065]さらなる態様では、セルアクセス規制決定器７３０は、カウンタ値７２８を決定するのに加えて、セルアクセス規制評価持続時間７３６がセルアクセス規制評価持続時間しきい値に達すると決定するように構成される場合があり、そのしきい値は、１つまたは複数の時間単位（たとえば、ミリ秒、秒など）として指示される場合がある。すなわち、セルアクセス規制評価持続時間しきい値に達すると、セルアクセス規制決定器７３０は、カウンタ値７２８が第１のアクセス規制しきい値７３４以上になるか否かを決定することができる。さらに、アクセス規制指示は、セルアクセス規制評価持続時間７３６中にカウンタ値７２８が第１のアクセス規制しきい値７３４以上になると決定すると、禁止構成要素７４０に与えられ得る。
【００５５】
[0066]再選択構成要素７２０は、禁止構成要素７４０を含むことができ、禁止構成要素７４０は、第１のアクセス規制持続時間７４４にわたって、ＵＥ７０２が第１のセル（たとえば、第１のネットワークエンティティ７０４）とのＲＲＣ再確立手順を実行するのを禁止するように構成され得る。たとえば、セルアクセス規制評価持続時間７３６にわたってＲＬＦ７２６の所定の、および／または構成可能な回数（たとえば、カウンタ値７２８によって指示される）を検出すると、禁止構成要素７４０は、ＵＥ７０２が、現在のサービングセル（たとえば、第１のネットワークエンティティ７０４）とすることができる第１のセルとのＲＲＣ再確立手順を実行するのを禁止するように構成され得る。そのような禁止によって、ＵＥ７０２は、別のより適したセル（たとえば、第２のネットワークエンティティ７０６）を実効的に再選択するか、またはそのセルへのＲＲＣ再確立を実効的に実行できるようになる場合がある。さらに、禁止は、良くない通信品質を経験している場合がある同じセルまたはネットワークエンティティ（たとえば、第１のネットワークエンティティ７０４）（たとえば、１つまたは複数のＲＬＦＳ７２６を引き起こす同じセルまたはネットワークエンティティ）への再選択を防ぐことができる。その場合に、ＵＥ７０２は、第１のアクセス規制持続時間７４４中に第２のセル（たとえば、第２のネットワークエンティティ７０６）とのＲＲＣ再確立手順を実行することができる。
【００５６】
[0067]さらなる態様では、再選択構成要素７２０は、第１のアクセス規制持続時間７４４の後にもさらなるＲＬＦ７２６を受けるとき、さらに長い持続時間わたって、ＵＥ７０２が第１のセル（たとえば、第１のネットワークエンティティ７０４）を選択するか、または第１のセルへのＲＲＣ再確立を実行するのを規制するか、または、禁止するように構成され得る。すなわち、第１のアクセス規制持続時間７４４が満了した後に、ＲＲＣ再確立が禁止された同じセル（たとえば、第１のネットワークエンティティ７０４）上で後続のＲＬＦ７２６を検出すると、より適したセル（たとえば、第２のネットワークエンティティ７０６）への再選択の確率を高めるために、ＵＥ７０２は、再選択構成要素７２０を介して、異なる１組のパラメータを利用するように構成され得る。
【００５７】
[0068]そのために、再選択構成要素７２０は、第１のアクセス規制持続時間７４４の満了後に、第１のセル（たとえば、第１のネットワークエンティティ７０４）のＲＬＦ７２６を検出するように構成され得る。さらに、セルアクセス規制決定器７３０は、その後、セルアクセス規制評価持続時間７３６内にカウンタ値７２８が第２のアクセス規制しきい値７３８以上になるかを決定するように構成され得る。そのように決定されると、禁止構成要素７４０は、第２のアクセス規制持続時間７４８にわたって、ＵＥ７０２が第１のセル（たとえば、第１のネットワークエンティティ７０４）とのＲＲＣ再確立手順を実行するのを禁止するように構成され得る。その場合に、ＵＥ７０２は、第２のアクセス規制持続時間７４８中に第２のセル（たとえば、第２のネットワークエンティティ７０６）とのＲＲＣ再確立手順を実行することができる。より適切なセルを再選択するか、またはより適切なセルとのＲＲＣ接続を確立する確率を高めるために、第２のアクセス規制持続時間７４８は、第１のアクセス規制持続時間７４４より、持続時間を長くすることができることを理解されたい。さらに、いくつかの態様では、第２のアクセス規制しきい値７３８は、第１のアクセス規制しきい値７３４より小さく、または等しく、または大きくすることができる。
【００５８】
[0069]さらに、再選択構成要素７２０は、リセット構成要素７５０を含むことができ、リセット構成要素７５０は、第１の検出されたＲＬＦの第１の時間値と第２の検出されたＲＬＦの第２の時間値との間の持続時間がリセット持続時間以上になるときに、第１のアクセス規制持続時間７４４の満了後に、第１のセル（たとえば、第１のネットワークエンティティ７０４）上でまたは第１のセルにおいてＲＲＣ再確立を実行することにリセットするか、または、復帰するように構成され得る。具体的には、たとえば、リセット構成要素７５０は、第１のセル（たとえば、第１のネットワークエンティティ７０４）とのＲＲＣ接続状態にあるときに、少なくとも第１のＲＬＦおよび第２のＲＬＦを受信するか、または、検出するように構成され得る。さらに、各ＲＬＦ、すなわち、第１のＲＬＦおよび第２のＲＬＦに関して、第１のＲＬＦに対応する第１の時間値と第２のＲＬＦに対応する第２の時間値が検出されるか、または、決定され得る。その後、リセット構成要素７５０は、第１の時間値と第２の時間値との間の持続時間がリセット持続時間以上になるか否かを決定するように構成され得る。
【００５９】
[0070]それゆえ、リセット構成要素７５０は、第１のアクセス規制決定にリセットするか、または、戻るために、第１のアクセス規制持続時間７４４が満了し、少なくとも第１のＲＬＦおよび第２のＲＬＦを受信してから、十分な持続時間が経過したか否かを決定するように構成され得る。その場合に、十分な持続時間（たとえば、第１のＲＬＦと第２のＲＬＦとの間の差をリセット持続時間と比較することによって決定される）が経過したとき、第２のアクセス規制持続時間７４８がトリガされ得るか否か（たとえば、カウンタ値７２８が第２のアクセス規制しきい値７３８以上になることに基づく）を決定し続けるのではく、リセット構成要素７５０は、カウンタ値７２８が第１のアクセス規制しきい値７３４以上になるか否かを決定することにリセットするか、または、復帰するように構成され得る。そのような態様において、リセット構成要素７５０は、第１の時間値と第２の時間値との間の持続時間がリセット持続時間以上になることを決定することに少なくとも部分的に基づいて、第１のセルとのＲＲＣ再確立をトリガすることができる。
【００６０】
[0071]さらなる態様では、再選択構成要素７２０はモビリティ構成要素７６０を含むことができ、モビリティ構成要素７６０は、１つまたは複数のセルとのＲＲＣ再確立および／または再確立手順を実行するように構成され得る。たとえば、モビリティ構成要素７６０は、第１のネットワークエンティティ７０４（たとえば、第１のセル）とのＲＲＣ再確立を実行するように構成され得る。別の例では、モビリティ構成要素７６０は、カウンタ値７２８が第１のアクセス規制しきい値７３４または第２のアクセス規制しきい値７３８以上になる結果として、禁止構成要素７４０が、ＵＥ７０２がモビリティ構成要素７６０を介して第１のネットワークエンティティ７０４とのＲＲＣ再確立手順を実行するのを禁止するように構成されるとき、第２のネットワークエンティティ７０６（たとえば、第２のセル）とのＲＲＣ再確立（たとえば、再選択）を実行するように構成され得る。
【００６１】
[0072]図８〜図１０を参照すると、説明を簡単にするために方法が一連の動作として図示され、説明される。しかしながら、いくつかの動作は、１つまたは複数の態様によれば、本明細書において図示され、説明される順序とは異なる順序において、および／または他の動作と同時に行われる場合があるので、方法（およびそれに関連するさらなる方法）は動作の順序によって限定されないことを理解し、認識されたい。たとえば、それらの方法は、代替的には、状態図においてなど、一連の相互に関連する状態またはイベントとして表現され得ることを認識されたい。さらに、本明細書において説明される１つまたは複数の特徴による方法を実施するために、図示されるすべての動作が必要とされるとは限らない場合がある。
【００６２】
[0073]図８を参照すると、１つの動作態様において、ＵＥ７０２（図７）のようなＵＥが、第２のセル（たとえば、第２のネットワークエンティティ７０６）でのセル選択（たとえば、ＲＲＣ再確立）を許可するために、サービングセル（たとえば、第１のネットワークエンティティ７０４、図７）でのセル選択（たとえば、ＲＲＣ再確立）を禁止するための方法８００の一態様を実行することができる。
【００６３】
[0074]一態様では、ブロック８０４において、方法８００は、第１のセルとのＲＲＣ接続状態にあるＵＥによるＲＬＦの検出に基づいて、第１のセルに関連付けられるカウンタ値をインクリメントすることを含む。たとえば、本明細書において説明されるように、第１のセル（たとえば、第１のネットワークエンティティ７０４、図７）とＲＲＣ接続状態にあるＵＥ７０２によるＲＬＦ７２６の検出に基づいて、再選択構成要素７２０（図７）が、第１のセル（たとえば、第１のネットワークエンティティ７０４）に関連付けられるカウンタ値７２８をインクリメントするカウンタ７２４を実行することができる。
【００６４】
[0075]ブロック８０８において、方法８００は、セルアクセス規制評価持続時間内にカウンタ値が第１のアクセス規制しきい値以上になると決定することを含む。たとえば、本明細書において説明されるように、再選択構成要素７２０（図７）が、セルアクセス規制評価持続時間７３６内にカウンタ値７２８が第１のアクセス規制しきい値７３４以上になると決定するセルアクセス規制決定器７３０を実行することができる。
【００６５】
[0076]さらに、ブロック８１２において、方法８００は、第１のアクセス規制持続時間にわたってＵＥが第１のセルとのＲＲＣ再確立手順を実行するのを禁止することを含む。たとえば、本明細書において説明されるように、再選択構成要素７２０（図７）が、第１のアクセス規制持続時間７４４にわたってＵＥ７０２が第１のセル（たとえば、第１のネットワークエンティティ７０４、図７）とのＲＲＣ再確立手順を実行するのを禁止する禁止構成要素７４０を実行することができる。
【００６６】
[0077]図９を参照すると、さらなる、および／または代替の動作態様において、ＵＥ７０２（図７）のようなＵＥが、第１のアクセス規制持続時間にわたってサービングセル（たとえば、第１のネットワークエンティティ７０４、図７）でのセル選択（たとえば、ＲＲＣ再確立）を禁止するための方法９００の一態様を実行することができる。方法９００を形成する各ブロックに関して本明細書において説明される態様を実行するために、ＵＥ７０２（図７）および／または再選択構成要素７２０（図７）の種々の構成要素および／またはサブ構成要素のうちのいずれか１つまたは複数が実行され得ることは理解されたい。
【００６７】
[0078]一態様では、方法９００は、ブロック９１８において、第１のセルに関するＲＬＦを検出することを含むことができる。たとえば、再選択構成要素７２０（図７）が、第１のセル（たとえば、第１のネットワークエンティティ７０４）との失敗した無線リンク通信から生じるＲＬＦ７２６を検出することができる。方法９００は、ブロック９２２に続くことができ、ブロック９２２では、検出の結果としてカウンタが始動する。一例では、再選択構成要素７２０が、カウンタ値７２８を開始する（たとえば、再選択構成要素７２０が後続のＲＬＦ７２６を検出するのに応じてカウンタ値７２８をインクリメントする）カウンタ７２４を実行することができる。さらに、ブロック９２６において、方法９００は、セルアクセス規制評価持続時間を開始することを含む。たとえば、セルアクセス規制評価持続時間７３６は、第１のセル（たとえば、第１のネットワークエンティティ７０４）に関する第１のＲＬＦを検出すると開始される場合がある。他の態様では、セルアクセス規制評価持続時間は、本明細書において説明されるように継続的に動作している場合がある。
【００６８】
[0079]ブロック９３０において、方法９００はオプションで、たとえば、第１のセルとの再確立手順を実行することができる。そのような態様では、第１のセルとの再確立手順を実行する結果として、後続のＲＬＦが検出される場合がある。その場合に、ブロック９３４において、方法９００は、カウンタ値が第１のアクセス規制しきい値以上になるか否かを決定する。たとえば、本明細書において説明されるように、セルアクセス規制決定器７３０（図７）が、セルアクセス規制評価持続時間７３６中にカウンタ値７２８が第１のアクセス規制しきい値７３４以上になるか否かを決定する。ブロック９３４における決定が否定である場合には、方法９００は、動作ブロック９３０に戻るか、またはブロック９３４に戻ることができる。しかしながら、ブロック９３４における決定が肯定である、言い換えると、カウンタ値が第１のアクセス規制しきい値以上になる場合には、方法９００はブロック９３８に進むことができ、そのブロックにおいて、第１のアクセス規制持続時間にわたって第１のセルへの再確立が禁止され得る。
【００６９】
[0080]このように、ＵＥ７０２（図７）は、ＵＥ７０２が１つまたは複数のＲＬＦを受けた第１のセルへの再確立を実行するのを禁止される場合がある。ブロック９４２において、方法９００はオプションで、ＲＬＦの数が第１のアクセス規制しきい値７３４以上になるときにカウンタをリセットすることができる。さらに、ブロック９４６において、方法９００は、第１のアクセス規制持続時間中に第２のセル（たとえば、第２のネットワークエンティティ７０６、図７）への再確立を実行することを含む。ブロック９５０において、第１のアクセス規制持続時間が満了する場合がある。いくつかの態様では、方法９００は、図１０に示されるような方法１００に続くことができ、ここで第１のアクセス規制持続時間の満了後に、ＵＥ７０２が、後続の時点で第１のセルに再確立する。
【００７０】
[0081]図１０を参照すると、さらなる、および／または代替の動作態様において、ＵＥ７０２（図７）のようなＵＥが、第１のアクセス規制持続時間後であっても、（第１の）サービングセルにおいて１つまたは複数の後続のＲＬＦが検出されるとき、第２のアクセス規制持続時間にわたって（第１の）サービングセル（たとえば、第１のネットワークエンティティ７０４、図７）でのセル選択（たとえば、ＲＲＣ再確立）を禁止するための方法１０００の一態様を実行することができる。方法１０００を形成する各ブロックに関して本明細書において説明される態様を実行するために、再選択構成要素７２０（図７）の種々の構成要素および／またはサブ構成要素のうちのいずれか１つまたは複数が実行され得ることは理解されたい。
【００７１】
[0082]一態様において、方法１０００は、図９のブロック９５０から継続することができ、ブロック１０１０において、後続の時点で（たとえば、第１のアクセス規制持続時間の満了後に）、第１のセルに再確立することを含むことができる。さらに、方法１０００は、ブロック１０１４において、第１のセルに関して第１の時点で第１のＲＬＦを検出することを含む。一態様では、第１の時点で検出された第１のＲＬＦは、その結果としてカウンタ値が第１のアクセス規制しきい値以上になるＲＬＦである場合がある（たとえば、ブロック９３４、図９）。たとえば、再選択構成要素７２０（図７）が、第１のセル（たとえば、第１のネットワークエンティティ７０４）との失敗した無線リンク通信から生じる、第１の時点における第１のＲＬＦを示す場合があるＲＬＦ７２６を検出することができる。さらに、ブロック１０１８において、方法１０００は、第１のセルに関して第２の時点において第２のＲＬＦを検出することを含むことができる。たとえば、再選択構成要素７２０（図７）が、第１のセル（たとえば、第１のネットワークエンティティ７０４）との別の失敗した無線リンク通信から生じる、第２の時点における第２のＲＬＦを示す場合があるＲＬＦ７２６を検出することができる。
【００７２】
[0083]さらに、ブロック１０２２において、方法１０００は、第１の時点と第２の時点との間の差がリセット持続時間以上になるか否かを決定することができる。たとえば、再選択構成要素７２０が、第１の時点と第２の時点との間の差がリセット持続時間以上になるか否かを決定するリセット構成要素７５０を実行することができる。その差がリセット持続時間以上になる場合には、方法１０００はブロック９２２（図９）に進むことができるか、または、ブロック９２２（図９）に戻ることができる。図示されない態様では、その差がリセット持続時間以上になる場合には、方法１０００は、オプションで、第１のセル（たとえば、第１のネットワークエンティティ７０４、図７）とのＲＲＣ再確立を実行することを含むことができる。しかしながら、その差がリセット持続時間未満である場合には、方法１０００はブロック１０２６に進むことができる。
【００７３】
[0084]図示されない態様では、方法１０００は、オプションで、ＲＬＦ検出の結果としてカウンタを開始することを含むことができる。一例では、再選択構成要素７２０が、カウンタ値７２８を開始する（たとえば、再選択構成要素７２０が後続のＲＬＦ７２６を検出するのに応じてカウンタ値７２８をインクリメントする）カウンタ７２４を実行することができる。さらに、ブロック１０２６において、方法１０００は、セルアクセス規制評価持続時間を開始することを含む。たとえば、セルアクセス規制評価持続時間７３６は、第１のセル（たとえば、第１のネットワークエンティティ７０４）に関するＲＬＦを検出すると開始される場合がある。他の態様では、セルアクセス規制評価持続時間は、本明細書において説明されるように継続的に動作している場合がある。
【００７４】
[0085]ブロック１０３０において、方法１０００はオプションで、たとえば、第１のセルとの再確立手順を実行することができる。そのような態様では、第１のセルとの再確立手順を実行する結果として、後続のＲＬＦが検出される場合がある。その場合に、ブロック１０３４において、方法１０００は、カウンタ値が第１のアクセス規制しきい値以上であるか否かを決定する。たとえば、本明細書において説明されるように、セルアクセス規制決定器７３０（図７）が、セルアクセス規制評価持続時間７３６中にカウンタ値７２８が第２のアクセス規制しきい値７３４以上になるか否かを決定する。ブロック１０３４の他の態様では、方法１０００は、たとえば、カウンタを使用することなく、ＲＬＦの数が第１のアクセス規制しきい値以上になると決定することができる。ブロック１０３４における決定が否定である場合には、方法１０００は、動作ブロック１０３０に戻るか、またはブロック１０３４に戻ることができる。しかしながら、ブロック１０３４における決定が肯定である、言い換えると、カウンタ値が第２のアクセス規制しきい値以上である場合には、方法１０００はブロック１０３８に進むことができ、ここで第２のアクセス規制持続時間にわたって第１のセルへの再確立が禁止される場合がある。
【００７５】
[0086]このように、ＵＥ７０２（図７）が、ＵＥ７０２が１つまたは複数のＲＬＦを受けた第１のセルへの再確立を実行するのを禁止される場合がある。そのような態様では、ＵＥ７０２（図７）がより適切なセルに再選択することになる確率を高めるために、第２のアクセス規制持続時間は第１のアクセス規制持続時間より、持続時間を長くすることができる。ブロック１０４２において、方法１０００はオプションで、ＲＬＦの数が第２のアクセス規制しきい値７３４以上になるときにカウンタをリセットすることができる。さらに、ブロック１０４６において、方法１０００は、第２のアクセス規制持続時間中に第２のセル（たとえば、第２のネットワークエンティティ７０６、図７）への再確立を実行することを含む。
【００７６】
[0087]図１１を参照すると、データフロー１１００が、本開示の一態様による例示的な装置１１１８における異なるモジュール／手段／構成要素間の例示的なフローを示す。その装置は、図７の再選択構成要素７２０を含む、ＵＥ７０２のようなＵＥとすることができる。装置１１１８は、ＲＬＦを識別または検出する際に役に立つ、ネットワークエンティティ１１５０（たとえば、ｅＮｏｄｅＢ）からのワイヤレス情報１１０２を受信するための受信モジュール１１０４を含む。たとえば、ワイヤレス情報１１０２は、ネットワークエンティティ１１５０の信号強度を示すことができる。さらに、一例として、ワイヤレス情報１１０２および／または１１２０は、受信モジュール１１０４による測定値を示すことができ、その後、その測定値を用いて、信号が呼（たとえば、ＲＲＣ接続状態）を維持するのに十分に強いか否かに対応する下側しきい値と比較することができる。さらに、受信モジュール１１０４は、オプションで、第２のネットワークエンティティ１１５２からワイヤレス情報１１２０を受信することができ、そのワイヤレス情報は第２のネットワークエンティティ１１５２の信号強度を示すことができる。さらに、装置１１１８は、第１のセル（たとえば、ネットワークエンティティ１１５０）とのＲＲＣ接続状態にある受信モジュール１１０４によるＲＬＦ１１２２の検出に基づいて、第１のセル（たとえば、ネットワークエンティティ１１５０）に関連付けられるカウンタ値をインクリメントするためのカウンタモジュール１１０６を含むことができる。
【００７７】
[0088]さらに、装置１１１８は、セルアクセス規制評価持続時間内にカウンタ値１１２４が第１のアクセス規制しきい値以上になると決定するためのセルアクセス規制決定モジュール１１０８を含むことができる。装置１１１８はさらに、セルアクセス規制決定モジュール１１０８から禁止トリガ指示１１２６を受信すると、第１のアクセス規制持続時間にわたって装置１１１８が第１のセル（たとえば、ネットワークエンティティ１１５０）とのＲＲＣ再確立手順を実行するのを禁止するための禁止モジュール１１１０を含むことができる。さらなる態様では、装置１１１８は、第１のＲＬＦの第１の検出時刻と第２のＲＬＦの第２の検出時刻との間の差（たとえば、１１６４が、１つまたは複数の受信されたＲＬＦのための検出時刻を含むことができる）がリセット持続時間以上になるとき、第１のセル（たとえば、ネットワークエンティティ１１５０）とのＲＲＣ再確立１１６８を実行することにリセットするか、または、戻るためのリセットモジュール１１６０を含むことができる。さらなる態様では、ＭＭＥ１１２が第１のアクセス規制持続時間中に第２のセル（たとえば、第２のネットワークエンティティ１１５１）とのＲＲＣ再確立手順１１３０を実行するのを禁止する禁止指示１１２８を受信することができる。さらに、送信モジュール１１１４は、１つまたは複数の通信１１１６および／または１１３２（たとえば、ＲＲＣ再確立関連信号）を１つまたは複数のネットワークエンティティに送る／送信することができる。
【００７８】
[0089]本装置は、図１１の上述のフロー図中のアルゴリズムのステップの各々を実行する追加のモジュールを含むことができる。したがって、図１１の上述のフロー図中の各ステップは１つのモジュールによって実行される場合があり、本装置は、それらのモジュールのうちの１つまたは複数を含む場合がある。それらのモジュールは、述べられたプロセス／アルゴリズムを実行するように具体的に構成された１つまたは複数のハードウェア構成要素である場合があるか、述べられたプロセス／アルゴリズムを実行するように構成されたプロセッサによって実施される場合があるか、プロセッサによって実施するためにコンピュータ可読媒体内に記憶される場合があるか、またはそれらの何らかの組合せである場合がある。
【００７９】
[0090]図１２は、処理システム１２１４を利用する装置１２０１のためのハードウェア実施態様の一例を示す図１２００である。処理システム１２１４は、バス１２２４によって全体的に表される、バスアーキテクチャを用いて実現される場合がある。バス１２２４は、処理システム１２１４の具体的な適用例および全体的な設計制約に応じて、任意の数の相互接続用バスおよびブリッジを含むことができる。バス１２２４は、プロセッサ１２０４によって表される１つまたは複数のプロセッサおよび／またはハードウェアモジュールと、モジュール１２０８、１２１２、１２１６、１２１８、１２２６、１２２８、１２３０と、コンピュータ可読媒体１２０６とを含む、種々の回路を互いにリンクする。また、バス１２２４はまた、タイミングソース、周辺機器、電圧レギュレータ、および電力管理回路などの種々の他の回路もリンクする場合があるが、これらの回路は当技術分野においてよく知られているので、これ以上説明されない。
【００８０】
[0091]処理システム１２１４はトランシーバ１２１０に結合され得る。トランシーバ１２１０は１つまたは複数のアンテナ１２２０に結合される。トランシーバ１２１０は、伝送媒体を介して種々の他の装置と通信するための手段を与える。処理システム１２１４は、コンピュータ可読媒体１２０６に結合されるプロセッサ１２０４を含む。プロセッサ１２０４は、コンピュータ可読媒体１２０６上に記憶されたソフトウェアの実行を含む、一般的な処理を担う。ソフトウェアは、プロセッサ１２０４によって実行されるとき、処理システム１２１４に、任意の特定の装置のための上記の種々の機能を実行させる。また、コンピュータ可読媒体１２０６はまた、ソフトウェアを実行するときにプロセッサ１２０４によって操作されるデータを記憶するために使用され得る。
【００８１】
[0092]処理システムは、モジュール１２０８、１２１２、１２１６、１２１８、１２２６、１２２８、および１２３０のうちの少なくとも１つをさらに含む。それらのモジュールは、プロセッサ１２０４内で動作し、コンピュータ可読媒体１２０６内に存在する／記憶されるソフトウェアモジュール、プロセッサ１２０４に結合される１つもしくは複数のハードウェアモジュール、またはそれらの何らかの組合せとすることができる。処理システム１２１４は、ＵＥ６５０（図６）の構成要素とすることができ、メモリ６６０、および／またはＴＸプロセッサ６６８と、ＲＸプロセッサ６５６と、コントローラ／プロセッサ６５９とのうちの少なくとも１つを含むことができる。他の態様では、処理システム１２１４は、再選択構成要素７２０を含むＵＥ７０２（図７）の構成要素とすることができる。
【００８２】
[0093]開示されたプロセス中のステップの特定の順序または階層は、例示的な手法の一例であることを理解されたい。設計上の選択に基づいて、プロセスにおけるステップの特定の順序または階層は再構成される場合があることを理解されたい。さらに、いくつかのステップが組み合わせられる場合があるか、または省略される場合がある。添付の方法クレームは、種々のステップの要素を見本の順序において提示しており、提示された具体的な順序または階層に限定されることは意図していない。
【００８３】
[0094]以上の説明は、当業者が本明細書において説明された種々の態様を実行できるようにするために提供される。これらの態様に対する種々の変更が当業者には容易に明らかになるはずであり、本明細書において規定された一般原理は他の態様にも適用され得る。したがって、特許請求の範囲は、本明細書に示された態様に限定されるものではなく、クレーム文言に矛盾しない最大範囲を与えられるべきであり、ここにおいて、単数形の要素への言及は、そのように明記されていない限り、「唯一無二の」を意味するものではなく、「１つまたは複数の」を意味するものである。別段に明記されない限り、「いくつかの」という語は「１つまたは複数の」を表す。当業者に知られているか、または後で知られることになる、本開示全体にわたって説明された種々の態様の要素に対するすべての構造的および機能的均等物は、参照により本明細書に明確に組み込まれ、特許請求の範囲によって包含されることを意図している。さらに、本明細書に開示されたいかなることも、そのような開示が特許請求の範囲に明示的に列挙されるか否かにかかわらず、公共に提供することは意図していない。いかなるクレーム要素も、その要素が「ための手段」という語句を使用して明確に列挙されない限り、ミーンズプラスファンクションとして解釈されるべきではない。
以下に、本願出願の当初の特許請求の範囲に記載された発明を付記する。
［Ｃ１］
通信システムにおける改善された無線リソース制御（ＲＲＣ）再確立の方法であって、
第１のセルとのＲＲＣ接続状態にあるユーザ機器（ＵＥ）による無線リンク障害（ＲＬＦ）の検出に基づいて、前記第１のセルに関連付けられるカウンタ値をインクリメントすることと、
セルアクセス規制評価持続時間内に前記カウンタ値が第１のアクセス規制しきい値以上になると決定することと、
第１のアクセス規制持続時間にわたって前記ＵＥが前記第１のセルとのＲＲＣ再確立手順を実行するのを禁止することとを備える、通信システムにおける改善された無線リソース制御（ＲＲＣ）再確立の方法。
［Ｃ２］
前記第１のアクセス規制持続時間中に第２のセルとのＲＲＣ再確立手順を実行することをさらに備える、Ｃ１に記載の方法。
［Ｃ３］
前記第１のアクセス規制持続時間の満了後に、前記第１のセルに関する第１のＲＬＦおよび第２のＲＬＦを検出することと、ここにおいて、前記第１のＲＬＦは第１の時間値において検出され、前記第２のＲＬＦは第２の時間値において検出される、
前記第１の時間値と第２の時間値との間の持続時間がリセット持続時間以上になると決定することと、
前記第１の時間値と第２の時間値との間の前記持続時間が前記リセット持続時間以上になるとの前記決定に基づいて、前記第１のセルとのＲＲＣ再確立を実行することとをさらに備える、Ｃ１に記載の方法。
［Ｃ４］
前記セルアクセス規制評価持続時間内に前記カウンタ値が第２のアクセス規制しきい値以上になると決定することと、
第２のアクセス規制持続時間にわたって前記ＵＥが前記第１のセルとの前記ＲＲＣ再確立手順を実行するのを禁止することとをさらに備える、Ｃ３に記載の方法。
［Ｃ５］
前記第２のアクセス規制持続時間中に第２のセルとのＲＲＣ再確立手順を実行することをさらに備える、Ｃ４に記載の方法。
［Ｃ６］
前記第２のアクセス規制持続時間は前記第１のアクセス規制持続時間より、持続時間が長い、Ｃ４に記載の方法。
［Ｃ７］
前記第２のアクセス規制しきい値は、前記第１のアクセス規制しきい値と等しい、Ｃ４に記載の方法。
［Ｃ８］
前記第２のアクセス規制しきい値は前記第１のアクセス規制しきい値より小さいか、または大きい、Ｃ４に記載の方法。
［Ｃ９］
前記決定することは、前記セルアクセス規制評価持続時間がセルアクセス規制評価持続時間しきい値に達すると決定することを含む、Ｃ１に記載の方法。
［Ｃ１０］
前記セルアクセス規制評価持続時間は、先行するセルアクセス規制評価持続時間の少なくとも一部を含む、Ｃ１に記載の方法。
［Ｃ１１］
改善された無線リソース制御（ＲＲＣ）再確立のためのコンピュータ実行可能コードを記憶するコンピュータ可読媒体であって、
第１のセルとのＲＲＣ接続状態にあるユーザ機器（ＵＥ）による無線リンク障害（ＲＬＦ）の検出に基づいて、前記第１のセルに関連付けられるカウンタ値をインクリメントするために実行可能なコードと、
セルアクセス規制評価持続時間内に前記カウンタ値が第１のアクセス規制しきい値以上になると決定するために実行可能なコードと、
第１のアクセス規制持続時間にわたって前記ＵＥが前記第１のセルとのＲＲＣ再確立手順を実行するのを禁止するために実行可能なコードとを備える、改善された無線リソース制御（ＲＲＣ）再確立のためのコンピュータ実行可能コードを記憶するコンピュータ可読媒体。
［Ｃ１２］
前記第１のアクセス規制持続時間中に第２のセルとのＲＲＣ再確立手順を実行するために実行可能なコードをさらに備える、Ｃ１１に記載のコンピュータ可読媒体。
［Ｃ１３］
前記第１のアクセス規制持続時間の満了後に、前記第１のセルに関する第１のＲＬＦおよび第２のＲＬＦを検出するために実行可能なコードと、ここにおいて、前記第１のＲＬＦは第１の時間値において検出され、前記第２のＲＬＦは第２の時間値において検出される、
前記第１の時間値と第２の時間値との間の持続時間がリセット持続時間以上になると決定するために実行可能なコードと、
前記第１の時間値と第２の時間値との間の前記持続時間が前記リセット持続時間以上になるとの前記決定に基づいて、前記第１のセルとのＲＲＣ再確立を実行するために実行可能なコードとをさらに備える、Ｃ１１に記載のコンピュータ可読媒体。
［Ｃ１４］
前記セルアクセス規制評価持続時間内に前記カウンタ値が第２のアクセス規制しきい値以上になると決定するために実行可能なコードと、
第２のアクセス規制持続時間にわたって前記ＵＥが前記第１のセルとの前記ＲＲＣ再確立手順を実行するのを禁止するために実行可能なコードとをさらに備える、Ｃ１３に記載のコンピュータ可読媒体。
［Ｃ１５］
前記第２のアクセス規制持続時間中に第２のセルとのＲＲＣ再確立手順を実行するために実行可能なコードをさらに備える、Ｃ１４に記載のコンピュータ可読媒体。
［Ｃ１６］
通信システムにおける改善された無線リソース制御（ＲＲＣ）再確立のための装置であって、
第１のセルとのＲＲＣ接続状態にあるユーザ機器（ＵＥ）による無線リンク障害（ＲＬＦ）の検出に基づいて、前記第１のセルに関連付けられるカウンタ値をインクリメントするための手段と、
セルアクセス規制評価持続時間内に前記カウンタ値が第１のアクセス規制しきい値以上になると決定するための手段と、
第１のアクセス規制持続時間にわたって前記ＵＥが前記第１のセルとのＲＲＣ再確立手順を実行するのを禁止するための手段とを備える、通信システムにおける改善された無線リソース制御（ＲＲＣ）再確立のための装置。
［Ｃ１７］
前記第１のアクセス規制持続時間中に第２のセルとのＲＲＣ再確立手順を実行するための手段をさらに備える、Ｃ１６に記載の装置。
［Ｃ１８］
前記第１のアクセス規制持続時間の満了後に、前記第１のセルに関する第１のＲＬＦおよび第２のＲＬＦを検出するための手段と、ここにおいて、前記第１のＲＬＦは第１の時間値において検出され、前記第２のＲＬＦは第２の時間値において検出される、
前記第１の時間値と第２の時間値との間の持続時間がリセット持続時間以上になると決定するための手段と、
前記第１の時間値と第２の時間値との間の前記持続時間が前記リセット持続時間以上になるとの前記決定に基づいて、前記第１のセルとのＲＲＣ再確立を実行するための手段とをさらに備える、Ｃ１６に記載の装置。
［Ｃ１９］
前記セルアクセス規制評価持続時間内に前記カウンタ値が第２のアクセス規制しきい値以上になると決定するための手段と、
第２のアクセス規制持続時間にわたって前記ＵＥが前記第１のセルとの前記ＲＲＣ再確立手順を実行するのを禁止するための手段とをさらに備える、Ｃ１８に記載の装置。
［Ｃ２０］
前記第２のアクセス規制持続時間中に第２のセルとのＲＲＣ再確立手順を実行するための手段をさらに備える、Ｃ１９に記載の装置。
［Ｃ２１］
通信システムにおける改善された無線リソース制御（ＲＲＣ）再確立のための装置であって、
第１のセルとのＲＲＣ接続状態にあるユーザ機器（ＵＥ）による無線リンク障害（ＲＬＦ）の検出に基づいて、前記第１のセルに関連付けられるカウンタ値をインクリメントするように構成される再選択構成要素と、
セルアクセス規制評価持続時間内に前記カウンタ値が第１のアクセス規制しきい値以上になると決定するように構成されるセルアクセス規制決定器と、
第１のアクセス規制持続時間にわたって前記ＵＥが前記第１のセルとのＲＲＣ再確立手順を実行するのを禁止するように構成される禁止構成要素とを備える、通信システムにおける改善された無線リソース制御（ＲＲＣ）再確立のための装置。
［Ｃ２２］
前記第１のアクセス規制持続時間中に第２のセルとのＲＲＣ再確立手順を実行するように構成されるモビリティ構成要素をさらに備える、Ｃ２１に記載の装置。
［Ｃ２３］
前記再選択構成要素は、前記第１のアクセス規制持続時間の満了後に前記第１のセルに関する第１のＲＬＦおよび第２のＲＬＦを検出するようにさらに構成され、前記第１のＲＬＦは第１の時間値において検出され、前記第２のＲＬＦは第２の時間値において検出され、前記再選択構成要素は、前記第１の時間値と第２の時間値との間の持続時間がリセット持続時間以上になると決定するように構成されるリセット構成要素をさらに備え、
前記モビリティ構成要素は、前記第１の時間値と第２の時間値との間の前記持続時間が前記リセット持続時間以上になるとの前記決定に基づいて、前記第１のセルとのＲＲＣ再確立を実行するようにさらに構成される、Ｃ２２に記載の装置。
［Ｃ２４］
前記セルアクセス規制決定器は、前記セルアクセス規制評価持続時間内に前記カウンタ値が第２のアクセス規制しきい値以上になると決定するようにさらに構成され、
前記禁止構成要素は、第２のアクセス規制持続時間にわたって前記ＵＥが前記第１のセルとの前記ＲＲＣ再確立手順を実行するのを禁止するようにさらに構成される、Ｃ２３に記載の装置。
［Ｃ２５］
前記モビリティ構成要素は、前記第２のアクセス規制持続時間中に第２のセルとのＲＲＣ再確立手順を実行するようにさらに構成される、Ｃ２４に記載の装置。
［Ｃ２６］
前記第２のアクセス規制持続時間は前記第１のアクセス規制持続時間より、持続時間が長い、Ｃ２４に記載の装置。
［Ｃ２７］
前記第２のアクセス規制しきい値は、前記第１のアクセス規制しきい値と等しい、Ｃ２４に記載の装置。
［Ｃ２８］
前記第２のアクセス規制しきい値は前記第１のアクセス規制しきい値より小さいか、または大きい、Ｃ２４に記載の装置。
［Ｃ２９］
前記決定することは、前記セルアクセス規制評価持続時間がセルアクセス規制評価持続時間しきい値に達すると決定することを含む、Ｃ２１に記載の装置。
［Ｃ３０］
前記セルアクセス規制評価持続時間は、先行するセルアクセス規制評価持続時間の少なくとも一部を含む、Ｃ２１に記載の装置。
【要約】  通信システムにおける改善された無線リソース制御（ＲＲＣ）再確立のための方法および装置が、繰り返される無線リンク障害（ＲＬＦ）に対処することを含む。たとえば、その方法および装置は、第１のセルとのＲＲＣ接続状態にあるユーザ機器（ＵＥ）によるＲＬＦの検出に基づいて、第１のセルに関連付けられるカウンタ値をインクリメントすることを含む。その方法および装置はさらに、セルアクセス規制評価持続時間内にカウンタ値が第１のアクセス規制しきい値以上になると決定することを含む。さらに、その方法および装置は、第１のアクセス規制持続時間にわたってＵＥが第１のセルとのＲＲＣ再確立手順を実行するのを禁止することを含む。【図１】
0006022736.tif 000002
【図２】
0006022736.tif 000003
【図３】
0006022736.tif 000004
【図４】
0006022736.tif 000005
【図５】
0006022736.tif 000006
【図６】
0006022736.tif 000007
【図７】
0006022736.tif 000008
【図８】
0006022736.tif 000009
【図９】
0006022736.tif 000010
【図１０】
0006022736.tif 000011
【図１１】
0006022736.tif 000012
【図１２】
0006022736.tif 000013